【手続補正書】
【提出日】平成17年7月15日(2005.7.15)
【手続補正１】
【補正対象書類名】明細書
【補正対象項目名】全文
【補正方法】変更
【補正の内容】
【書類名】    明細書
【発明の名称】  遊技機および鍵
【特許請求の範囲】
【請求項１】  特定の形状に形成された鍵部を有する鍵と、その鍵に設けられる鍵部を挿入しつつ前記鍵を操作することにより施錠状態と解錠状態とを切り替える施錠装置とを備えた遊技機において、
前記鍵には、複数の鍵部が複数箇所に形成されており、その鍵により施解錠の操作が可能な複数の施錠装置を備え、
前記複数の施錠装置は、前記鍵部に係合しつつ前記鍵による操作に応じて作動すると共に遊技機本体から離脱不能な第１態様と離脱可能な第２態様とを選択的に形成する可動片と、その可動片によって前記第２態様が形成された場合に前記鍵部と分離不能に係合する係合部とを有する鍵ユニットを少なくとも２以上備えており、
前記鍵に形成される複数の鍵部は、１の鍵ユニットの係合部によって１の鍵部に前記１の鍵ユニットが分離不能に係合した状態で、他の鍵ユニットの係合部によって他の鍵部に前記他の鍵ユニットを分離不能に係合可能に相互に離間した複数箇所に形成されていることを特徴とする遊技機。
【請求項２】  前記鍵は、前記複数の鍵部を連結する連結部を備え、前記複数の鍵部は、その連結部を中心として放射状に突設されていることを特徴とする請求項１記載の遊技機。
【請求項３】  前記鍵に形成される前記複数の鍵部は、略平面上に突設されると共に、前記連結部を中心として隣り合って突設された２つの鍵部に挟まれた角度がそれぞれほぼ等しくなるように配列されており、それぞれの鍵部の突設方向と交差する方向に延設される突出部を備え、
その突出部は、前記複数の鍵部が形成される略平面に沿って延設されていることを特徴とする請求項２記載の遊技機。
【請求項４】  前記鍵に形成される複数の鍵部のうち少なくとも２以上の鍵部は、１の鍵ユニットの可動片を作動可能な略同一の外形形状に形成されると共に、その略同一の外形形状に形成された鍵部が隣り合って配置されていることを特徴とする請求項１から３のいずれかに記載の遊技機。
【請求項５】  前記鍵には、遊技機本体に装着される全ての前記鍵ユニットに対応した前記鍵部が形成されていることを特徴とする請求項１から４のいずれかに記載の遊技機。
【請求項６】  前記鍵は、前記複数の鍵部に係合される前記複数の鍵ユニットの配置位置を示唆する配置情報が表示された情報表示部を備えていることを特徴とする請求項１から５のいずれかに記載の遊技機。
【請求項７】  前記鍵に形成される複数の鍵部のうち少なくとも２以上の鍵部は、施錠装置の施解錠の操作順序に従って隣り合って配列されていることを特徴とする請求項１から６のいずれかに記載の遊技機。
【請求項８】  特定の形状に形成された鍵部を備え、その鍵部を使用して遊技機に設けられる施錠装置に施解錠の動作を行わせるための鍵において、
複数箇所に形成された複数の鍵部と、その複数の鍵部を連結する連結部とを備え、
前記複数の鍵部は、前記連結部を中心として放射状に突設されると共に略平面上に突設されており、前記連結部を中心として隣り合って突設された２つの鍵部に挟まれた角度がそれぞれほぼ等しくなるように配列されていることを特徴とする鍵。
【発明の詳細な説明】
【０００１】
【発明の属する技術分野】  本発明は、パチンコ機やスロットマシンに代表される遊技機に関するものである。
【０００２】
【従来の技術】  一般にパチンコ機等の遊技機は、遊技の制御を行う主制御基板、賞球や貸球の払い出し制御を行う払出制御基板、及び、賞球や貸球を払い出す払出装置のほか多数の部品により構成されている。この遊技機においては、各構成部品が故障した場合や、部品点検時の作業性等を考慮して、各構成部品が遊技機本体から取り外し可能に設けられている。
【０００３】
遊技機の構成部品のうち主制御基板や払出制御基板などは、簡易に取り外されると不正基板への交換による不正行為が簡単に行われてしまうので、特定の基板は、施錠装置で施錠された基板ボックス内に収容するなど、部品の取り外しが制限されている。また、構成部品のうち遊技盤に設けられる入賞装置や釘などは、遊技者に触れられると不正行為が簡単に行われてしまうので、その不正を防止するために遊技盤の前面を覆うガラス扉枠や前面枠が施錠され、専用の鍵を所持する遊技場の管理人等しか触れられないように構成されている。
【０００４】
このため、１台の遊技機に複数の施錠装置が設けられ、遊技場の管理人は、遊技機の管理に必要な多種の施錠装置に対応した多数の鍵を所持することになる。遊技機の点検時や球詰まりなどのトラブル発生時には、遊技場の管理人は、解錠操作の必要な施錠装置に対応した鍵を選択して施錠装置を解錠する。
【０００５】
【発明が解決しようとする課題】  しかしながら、多数の鍵の中から施錠装置の施解錠の操作に必要な１の鍵を選択するのは時間が掛かるものであり、所持する鍵の数が多いほど鍵の選択に要する時間が多くなるという問題点があった。
【０００６】
本発明は、上述した問題点を解決するためになされたものであり、施錠装置の施解錠の操作時に短時間で簡易に選択することができる鍵およびその鍵を備えた遊技機を提供することを目的としている。
【０００７】
【課題を解決するための手段】  この目的を達成するために請求項１記載の遊技機は、特定の形状に形成された鍵部を有する鍵と、その鍵に設けられる鍵部を挿入しつつ前記鍵を操作することにより施錠状態と解錠状態とを切り替える施錠装置とを備えるものであり、前記鍵には、複数の鍵部が複数箇所に形成されており、その鍵により施解錠の操作が可能な複数の施錠装置を備え、前記複数の施錠装置は、前記鍵部に係合しつつ前記鍵による操作に応じて作動すると共に遊技機本体から離脱不能な第１態様と離脱可能な第２態様とを選択的に形成する可動片と、その可動片によって前記第２態様が形成された場合に前記鍵部と分離不能に係合する係合部とを有する鍵ユニットを少なくとも２以上備えており、前記鍵に形成される複数の鍵部は、１の鍵ユニットの係合部によって１の鍵部に前記１の鍵ユニットが分離不能に係合した状態で、他の鍵ユニットの係合部によって他の鍵部に前記他の鍵ユニットを分離不能に係合可能に相互に離間した複数箇所に形成されている。
請求項２記載の遊技機は、請求項１記載の遊技機において、前記鍵は、前記複数の鍵部を連結する連結部を備え、前記複数の鍵部は、その連結部を中心として放射状に突設されている。
請求項３記載の遊技機は、請求項２記載の遊技機において、前記鍵に形成される前記複数の鍵部は、略平面上に突設されると共に、前記連結部を中心として隣り合って突設された２つの鍵部に挟まれた角度がそれぞれほぼ等しくなるように配列されており、それぞれの鍵部の突設方向と交差する方向に延設される突出部を備え、その突出部は、前記複数の鍵部が形成される略平面に沿って延設されている。
請求項４記載の遊技機は、請求項１から３のいずれかに記載の遊技機において、前記鍵に形成される複数の鍵部のうち少なくとも２以上の鍵部は、１の鍵ユニットの可動片を作動可能な略同一の外形形状に形成されると共に、その略同一の外形形状に形成された鍵部が隣り合って配置されている。
請求項５記載の遊技機は、請求項１から４のいずれかに記載の遊技機において、前記鍵には、遊技機本体に装着される全ての前記鍵ユニットに対応した前記鍵部が形成されている。
請求項６記載の遊技機は、請求項１から５のいずれかに記載の遊技機において、前記鍵は、前記複数の鍵部に係合される前記複数の鍵ユニットの配置位置を示唆する配置情報が表示された情報表示部を備えている。
請求項７記載の遊技機は、請求項１から６のいずれかに記載の遊技機において、前記鍵に形成される複数の鍵部のうち少なくとも２以上の鍵部は、施錠装置の施解錠の操作順序に従って隣り合って配列されている。
請求項８記載の鍵は、特定の形状に形成された鍵部を備え、その鍵部を使用して遊技機に設けられる施錠装置に施解錠の動作を行わせるためのものであり、複数箇所に形成された複数の鍵部と、その複数の鍵部を連結する連結部とを備え、前記複数の鍵部は、前記連結部を中心として放射状に突設されると共に略平面上に突設されており、前記連結部を中心として隣り合って突設された２つの鍵部に挟まれた角度がそれぞれほぼ等しくなるように配列されている。
【０００８】
【発明の効果】  請求項１記載の遊技機によれば、鍵には、複数の鍵部が形成されているので、複数種類の施錠装置の施解錠に必要な鍵を少なくすることができる。よって、多数の施錠装置に対する鍵を所持する遊技場の管理人に所持させる鍵の数を少なくすることができ、遊技場の管理人は、解錠操作の必要な施錠装置に挿入する鍵部が形成された鍵を少数の鍵の中から短時間で選択することができるという効果がある。
鍵による操作に応じて遊技機本体から離脱可能に構成された鍵ユニットを施錠装置として使用すれば、鍵を操作して鍵ユニットを遊技機本体から取出することができるので、鍵ユニットのリサイクル性を高めることができる。よって、１の遊技機に鍵ユニットを増設して不正行為に対する防犯性を高めつつ、１の鍵ユニットを繰り返して使用することによりその増設によるコストの増加を抑制することができるという効果がある。
しかしながら、遊技機の点検時や修理時、或いは、リサイクルの解体作業時などにおいて、遊技機本体から鍵ユニットが取出されると、その取出後の鍵ユニットを遊技場の管理人や各作業者などが個別に管理しなければならず、鍵ユニットを増設するほどその管理が面倒になる。本発明によれば、鍵ユニットの可動片が遊技機本体から離脱可能な第２態様を形成する場合には、鍵ユニットの係合部が鍵の鍵部と分離不能に係合するので、鍵ユニットと鍵とを一体化させることができる。また、鍵に形成される複数の鍵部は、１の鍵部に１の鍵ユニットが分離不能に係合した状態で、他の鍵部に他の鍵ユニットを分離不能に係合可能に相互に離間した複数箇所に形成されている。よって、１の鍵に一体化した複数の鍵ユニットを鍵と一緒にまとめて管理することができ、遊技機に鍵ユニットを増設してもその鍵ユニットを容易に管理することができるという効果がある。
請求項２記載の遊技機によれば、請求項１記載の遊技機の奏する効果に加え、複数の鍵部は、連結部を中心として放射状に突設されている。よって、連結部を中心とする周辺に複数の鍵部に係合される複数の鍵ユニットが配置されるので、鍵と複数の鍵ユニットとをより小形に一体化することができるという効果がある。また、複数の鍵部が連結部を中心として放射状に突設されているので、いずれの鍵部を鍵ユニットに挿入する場合であっても、放射状の中心となる連結部を把持して同様に操作することができる。よって、鍵の操作性を向上して、鍵ユニットに対する作業をスムースに進行させることができるという効果がある。
請求項３記載の遊技機によれば、請求項２記載の遊技機の奏する効果に加え、複数の鍵部が略平面上に突設されるので、鍵をより薄く形成することができる。よって、鍵が把持し易くなって鍵の操作性を一層向上することができると共に、鍵が嵩張らずに携帯し易く、少ない収容スペースに多数個の鍵を重ねて保管することができるという効果がある。また、複数の鍵部は、隣り合って突設された２つの鍵部に挟まれた角度がほぼ等しい角度となるように配列されているので、鍵に係合される鍵ユニットは、連結部を中心とする周辺に均等に配置される。よって、鍵ユニットを鍵の連結部に近付けて配置することができ、鍵と複数の鍵ユニットとをより小形に一体化することができるという効果がある。さらに、複数の鍵部の突設方向に交差して延設される突出部は、複数の鍵部が形成される略平面に沿って延設されるので、突出部による鍵の厚みの増加を抑制して、鍵をより薄く形成することができるという効果がある。
請求項４記載の遊技機によれば、請求項１から３のいずれかに記載の遊技機の奏する効果に加え、略同一の外形形状に形成されて１の鍵ユニットの可動片を作動可能な２以上の鍵部が隣り合って配置されているので、１の鍵部により操作可能な同一の鍵ユニットを複数まとめて鍵に一体化させることができ、作業者には、同一の鍵ユニットの配置位置をより解りやすく示すことができるという効果がある。
請求項５記載の遊技機によれば、請求項１から４のいずれかに記載の遊技機の奏する効果に加え、鍵には、遊技機本体に装着される全ての鍵ユニットに対応した鍵部が形成されている。よって、作業者は、遊技機本体に設けられる全ての鍵ユニットを１の鍵を操作して取出することができ、鍵ユニットの取出時における作業性を向上することができると共に、遊技機本体から取出した全ての鍵ユニットを１の鍵に一体化して容易に管理することができるという効果がある。また、遊技機から取出した鍵ユニットを遊技機本体へ再度装着する場合には、鍵に鍵ユニットが係合されているか否かを一見して、遊技機本体に全ての鍵ユニットを装着したか否かを確認することができ、鍵ユニットの装着のし忘れを的確に防止することができるという効果がある。
請求項６記載の遊技機によれば、請求項１から５のいずれかに記載の遊技機の奏する効果に加え、鍵の情報表示部には、複数の鍵ユニットの配置位置を示唆する配置情報が表示されるので、作業者には、情報表示部に表示される配置情報に基づいて操作の対象とする鍵ユニットに対応した鍵部を認識させることができ、鍵ユニットの装着時及び取出時における作業性を向上することができるという効果がある。
請求項７記載の遊技機によれば、請求項１から６のいずれかに記載の遊技機の奏する効果に加え、鍵に形成される少なくとも２以上の鍵部が、施錠装置の操作順序に従って隣り合って配列されているので、施解錠の操作時には、隣り合って形成される鍵部を順に施錠装置に挿入して施解錠の操作を行うことができる。よって、複数の鍵部のうち、解錠操作に必要な鍵部を短時間で選択することができ、施解錠操作の作業性を向上することができるという効果がある。
請求項８記載の鍵によれば、請求項２又は３に記載の遊技機と同様の効果を奏する鍵を提供することができる。
【０００９】
【発明の実施の形態】  以下、本発明の好ましい実施例について、添付図面を参照して説明する。本実施例では、遊技機の一例として弾球遊技機の一種であるパチンコ機、特に、第１種パチンコ遊技機を用いて説明する。なお、本発明を第３種パチンコ遊技機や他の遊技機に用いることは、当然に可能である。
【００１０】
図１は、本実施例におけるパチンコ機１の正面図である。パチンコ機１の前面には前面枠２が配設されている。前面枠２は、その周縁に沿って額縁状に形成された外枠１ａ（図２参照）に、前面枠２の左側に設けられたヒンジ部材によって揺動可能に支持されている。前面枠２の正面視右側には、第１鍵ユニット６０が、前面枠２に設けられた鍵取付穴２ａに差し込まれて配設されており、この第１鍵ユニット６０が施錠状態である場合には、外枠１ａに対する前面枠２の揺動が規制されている。かかる第１鍵ユニット６０は、専用鍵Ｋの第１鍵部７１（図５（ａ）参照）に係合して解錠されるものであり、第１鍵ユニット６０が解錠状態になると、外枠１ａに対して前面枠２は、前面側に揺動可能となる。遊技場にパチンコ機１が設置された後、パチンコ機１の背面側に配設される部材を点検し又は交換する場合には、第１鍵ユニット６０は専用鍵Ｋによって解錠される。
【００１１】
また、第１鍵ユニット６０の右下には、「１」の数字が刻印されている。この数字は、専用鍵Ｋ（図５（ａ）参照）に表示される数字に対応付けされており、専用鍵Ｋにおける「１」の数字が付された第１鍵部７１は、第１鍵ユニット６０に係合可能な鍵部であって施解錠の操作が可能なものであることを示している。
【００１２】
専用鍵Ｋ（図５（ａ）参照）には、４つの鍵部７１〜７４が設けられており、解錠操作時には４つの鍵部７１〜７４のうち各鍵ユニット毎に対応づけられた１の鍵部を選択して使用する。このとき、第１鍵ユニット６０の右下に刻印された数字「１」と同一の数字が付された鍵部７１が、第１鍵ユニット６０を操作可能な鍵部であり、解錠操作を行う作業者は、その刻印された数字「１」を確認した後に、専用鍵Ｋに付された数字を視認して、第１鍵ユニット６０に対応した第１鍵部７１を迅速に選択することができる。なお、この数字は、必ずしもパチンコ機１の鍵取付穴２ａ近傍に刻印する必要はなく、鍵ユニットの周辺と専用鍵Ｋに付された数字との関係をパチンコ機１の説明書に記載するなどしてパチンコ機１への刻印を省略しても良い。
【００１３】
前面枠２の略中央部分には略矩形状の開口２ｂが穿設され、かかる開口２ｂの内周には金枠３が周設されている。この金枠３の内側の上方には、２枚のガラス板が装着されたガラス扉枠４が開閉可能に配設されており、ガラス扉枠４の後方に遊技盤５が配置されている。
【００１４】
遊技盤５の前面には略円弧状の外レール６が植立され、その外レール６の内側位置には円弧状の内レール７が植立されている。この内レール７と外レール６とにより囲まれた遊技盤５の前面には、球が打ち込まれる遊技領域８が形成されており、その遊技領域８の周囲には、１の球が入賞することにより５個から１５個の球が賞球として払い出される複数の入賞口９が配設されている。遊技領域８の略中央部分には、複数種類の識別情報としての図柄などを変動表示する液晶ディスプレイ（以下単に「ＬＣＤ」と略す）１０を備えた可変表示装置１１が配設されている。なお、ＬＣＤ１０に代えて、例えば、リール等を用いて可変表示装置を構成するようにしても良い。
【００１５】
可変表示装置１１の下方には、図柄作動口（第１種始動口）１２が配設されている。この図柄作動口１２へ球が入賞すると、第１種始動口スイッチがオンして、上述したＬＣＤ１０で変動表示が開始されると共に、５個の球が賞球として払い出される。また、図柄作動口１２の下方には可変入賞装置１３が配設されており、その略中央部分に特定入賞口（大入賞口）１３ａが設けられている。この特定入賞口１３ａは、ＬＣＤ１０の変動後の表示結果が予め定められた図柄の組み合わせの１つと一致する場合に大当たりとなって、球が入賞し易いように所定時間（例えば、３０秒経過するまで、或いは、球が所定個数１０個入賞するまで）開放される入賞口である。
【００１６】
この特定入賞口１３ａ内には、Ｖゾーン１３ｂが設けられており、特定入賞口１３ａの開放中に、球がＶゾーン１３ｂを通過すると、継続権が成立して、特定入賞口１３ａの閉鎖後、再度、その特定入賞口１３ａが所定時間開放される。この特定入賞口１３ａの開閉動作は、最高で１６回（１６ラウンド）繰り返し可能にされており、開閉動作の行われ得る状態が、いわゆる所定の遊技価値が付与された状態（特別遊技状態）である。
【００１７】
尚、第３種パチンコ遊技機において所定の遊技価値が付与された状態（特別遊技状態）とは、ＬＣＤ１０の変動後の表示結果が予め定められた図柄の組み合わせの１つと一致する場合に、特定入賞口が所定時間開放されることをいう。この特定入賞口の開放中に、球がその特定入賞口内へ入賞すると、特定入賞口とは別に設けられた大入賞口が所定時間、所定回数開放される。
【００１８】
かかる可変入賞装置１３の下方であって、遊技領域８の最下方には、いずれの入賞口にも入賞しなかった球を遊技領域８外へ排出するためのアウト口１４が形成されている。
【００１９】
アウト口１４の下方、即ちガラス扉枠４の下方には、金枠３に開閉可能に取着された前面扉板（腰板）１５が配設されている。この前面扉板１５の前面（図１の紙面垂直方向手前側）には、球を貯留すると共に球発射装置（図示せず）へ球を供給するための上皿１６が配設され、その上皿１６の下方であって、前面枠２の下側部分には上皿１６に貯留しきれなかった球を貯留するための下皿１７が配設されている。下皿１７の右側には、球を遊技領域８へ打ち込むために遊技者によって操作される操作ハンドル１８が配設され、かかる操作ハンドル１８の内部には球発射装置の発射用モータを駆動させるためのハンドルスイッチ１８ａが内蔵されている。
【００２０】
次に、図２から図４を参照して、パチンコ機１の背面に配設される構成部品について説明する。図２は、パチンコ機１の背面図であり、図３は、図２のＩＩＩ−ＩＩＩ線における断面図である。図４は、パチンコ機１の背面に配設される基板カバー２１を施錠するための第２鍵ユニット３０を示しており、図４（ａ）は、施錠状態における第２鍵ユニット３０の斜視図であり、図４（ｂ）は、解錠状態における第２鍵ユニット３０の斜視図である。なお、図３においては、図面の理解を容易にするために、制御基板の取付構造に関する主要な部材のみを示すと共に主制御基板Ｃを簡略化して示し、又、第２鍵ユニット３０を断面視しないで示している。
【００２１】
パチンコ機１の背面には、図２に示すように、遊技の制御やパチンコ機１の構成部品を制御する制御基板Ｃ，Ｄ，Ｈ，Ｓ，Ｅが配設されている。これら制御基板Ｃ，Ｄ，Ｈ，Ｓ，Ｅは、不当な利益を得る目的で不正基板へ交換されることがあり、この不正行為を防止するために各制御基板Ｃ，Ｄ，Ｈ，Ｓ，Ｅを覆う２つのカバー（基板カバー２１及び電源カバー２３）が第２，第３鍵ユニット３０，４０により開放不能に施錠されている。また、基板カバー２１の内側に設けられる主制御基板Ｃは、封印テープにより開放が規制された基板ボックスで被包される構成となっており、その基板ボックスが、機構板２０に対して第４鍵ユニット５０により施錠して固定されている。このため、各鍵ユニット３０，４０，５０，６０を解錠可能な専用鍵Ｋを有する者のみが各制御基板Ｃ，Ｄ，Ｈ，Ｓ，Ｅの点検や交換作業をすることができ、不正基板への交換による不正行為を防止し得る構造となっている。
【００２２】
このパチンコ機１の背面には、図２に示すように、略平板状の機構板２０が図示しないヒンジ部材を介して前面枠２に開閉自在に軸支されている。この機構板２０には、パチンコ機１の背面に取着される各制御基板Ｃ，Ｄ，Ｈ，Ｓ，Ｅや払出装置などの構成部品がビス等により固定されており、各構成部品は必要に応じて着脱可能とされている。この機構板２０の略中央部には、背面視略矩形状に形成されると共に前面側が開放された箱状の基板カバー２１が配設されており（図３参照）、この基板カバー２１は、通常時には、第２鍵ユニット３０により施錠された状態となっている。
【００２３】
ここで、図４を参照して、本実施例のパチンコ機１に使用される第２鍵ユニット３０について説明する。なお、パチンコ機１の前面側に配設される第１鍵ユニット６０、及び、パチンコ機１の背面側に配設される第２〜第４鍵ユニット３０，４０，５０は、全てが同一構造を有するものであるため、第２鍵ユニット３０のみを説明して他の鍵ユニット４０，５０，６０の説明を省略する。
【００２４】
第２鍵ユニット３０は、基板カバー２１を施錠して基板カバー２１の開放方向への移動を規制するものであり、図４（ａ）に示すように、一端側に鍵穴３１ａが設けられた筒状の本体部材３１と、その本体部材３１の背面側に配置され本体部材３１に回動可能に支持される可動片３２とを備えている。
【００２５】
第２鍵ユニット３０の本体部材３１は、図４（ａ）に示すように、筒状に形成されると共に、その前面側の端面（鍵穴形成壁３１ｄ）に鍵穴３１ａが穿設されたものである。本体部材３１の前面側の外周面は、鍵穴３１ａ正面視において略円形に形成されている。また、鍵穴３１ａから離間した背面側の外周面は、前面側の円形断面を平行な２辺で切り欠いた略小判形の断面形状に形成されており、本体部材３１の前面側に左右両側に突設した突出部３１ｂが形成されている。
【００２６】
本体部材３１の突出部３１ｂは、施錠の対象とする相手部品に係合し、その相手部品が本体部材３１（第２鍵ユニット３０）の前面側へ相対的に移動することを規制するための部位である。パチンコ機１においては、この突出部３１ｂに基板カバー２１が係合可能に形成され、基板カバー２１が第２鍵ユニット３０の前面側へ相対的に移動することが突出部３１ｂに規制される（図３参照）。
【００２７】
本体部材３１の背面側には、円筒の両端側を平滑な平面で切り欠いて形成された切り欠き部３１ｃが設けられている。この切り欠き部３１ｃは、相手部品に本体部材３１が差し込まれた状態において本体部材３１の回動を阻止させるための部位である。パチンコ機１においては、基板カバー２１及び機構板２０の鍵取付穴２０ａ，２１ａに差し込まれた状態における本体部材３１の回動は、その鍵取付穴２０ａ，２１ａの一部が本体部材３１の切り欠き部３１ｃに当接することにより規制される。
【００２８】
本体部材３１の内部には、鍵穴３１ａの軸方向に沿った円筒状の空間が形成されており、鍵穴３１ａは、その空間を形成する前面側の壁（鍵穴形成壁３１ｄ）に穿設されている。鍵穴３１ａの中へ専用鍵Ｋの第２鍵部７２が挿入されてから専用鍵Ｋが回動されると、第２鍵部７２の先端部が鍵穴形成壁３１ｄに係合し、第２鍵部７２の先端部が本体部材３１から抜き出し不能となる。この係合は、図４（ａ）に示すように、下方に突出して形成された専用鍵Ｋの先端部が、鍵穴形成壁３１ｄの内側で回転した後に鍵穴形成壁３１ｄの内側に係合することにより行われる（図４（ｂ）参照）。
【００２９】
なお、専用鍵Ｋの先端部は、必ずしも一方に突出して形成される必要はなく、差込方向に沿って起伏して形成されていれば良い。鍵穴に差し込まれた専用鍵が回動した時に、その起伏の凹みに対応した位置に嵌合される突部を本体部材に設けることにより、専用鍵Ｋの先端部を鍵ユニットの本体部材に係合させて抜き出し不能な状態を形成することができる。
【００３０】
専用鍵Ｋの回動後、専用鍵Ｋと鍵穴３１ａとの相対位置が専用鍵Ｋの挿入時と一致した場合（例えば、専用鍵Ｋの挿入後に一方に回動させた分だけ逆方向に回動させた場合）には、専用鍵Ｋの先端部の突出方向が、鍵穴形成壁３１ｄの鍵穴３１ａの長手方向（図３の上下方向）に一致し、第２鍵部７２の先端部が鍵穴３１ａから抜き出し可能となる。
【００３１】
第２鍵ユニット３０の可動片３２は、図４（ａ）に示すように、本体部材３１に対して鍵穴３１ａの反対側に配設されており、鍵穴３１ａに挿入した専用鍵Ｋを回動操作することにより本体部材３１に対して回動する。この可動片３２は、図４（ｂ）に示す状態（解錠状態）において、隣接する本体部材３１の一部分と略同一の外周面形状に形成されている。具体的には、図４（ｂ）に示すように、可動片３２とその可動片３２に隣接する本体部材３１の一部分の外周面形状は、可動片３２の回転軸（回転中心）に対して上下方向に突出した両端部３２ａによって形成される外周面と、その両端部３２ａの外周面より可動片３２の回転軸に近接した外周面であって本体部材３１の切り欠き部３１ｃに連続して形成される外周面とを備えている。専用鍵Ｋの回動操作に連動して可動片３２が回動した場合には、鍵穴３１ａの軸方向視において、可動片３２の両端部３２ａは、その両端部３２ａの外周面より可動片３２の回転軸に近接した外周面を形成する本体部材３１の切り欠き部３１ｃより外側に突出する。
【００３２】
この可動片３２の両端部３２ａは、施錠の対象とする相手部品であって本体部材３１の突出部３１ｂが係合する部品とは異なる部品に係合し、その相手部品に対して第２鍵ユニット３０が前面側（鍵穴３１ａ側）へ離脱不能な状態を形成する。また、可動片３２の両端部３２ａは、専用鍵Ｋの回動操作により鍵穴３１ａの軸方向視において隣接する本体部材３１と一致する場合に、相手部品から離脱可能な状態を形成する。つまり、可動片３２の両端部３２ａは、専用鍵Ｋの操作に連動して相手部品との係合状態を変化させ、第２鍵ユニット３０の施錠状態及び解錠状態を形成するものである。パチンコ機１においては、可動片３２の両端部３２ａには機構板２０に穿設される鍵取付穴２０ａの外縁部２０ｂが係合してパチンコ機１から離脱不能な施錠状態と、離脱可能な解錠状態とを形成する（図３参照）。
【００３３】
また、可動片３２は、連結軸を介して本体部材３１の内部に配設される回動部材３２ｂと連結されている。この回動部材３２ｂには、鍵穴３１ａの正面視において鍵穴３１ａと略同一の大きさに形成された穴（図示せず）が穿設されており、図４（ａ）に示す施錠状態においては、その穴が鍵穴３１ａに連続して、専用鍵Ｋの第２鍵部７２の先端部を出入可能な状態とする。一方、施錠状態から専用鍵Ｋを回動操作して回動部材３２ｂが回動され、回動部材３２ｂの穴と鍵穴３１ａとの位置がずれると、第２鍵部７２の先端部が本体部材３１の鍵穴形成壁３１ｄに係合し、その先端部が本体部材３１から抜き出し不能となる。即ち、第２鍵ユニット３０を施錠状態としなければ鍵穴３１ａから専用鍵Ｋの第２鍵部７２を抜き出すことができず、施錠操作を行う作業者は、専用鍵Ｋの第２鍵部７２に第２鍵ユニット３０が一体化されているか否かに基づいて第２鍵ユニット３０の施錠状態を一見して判断することができる。
【００３４】
なお、可動片３２に連結される回動部材３２ｂは、一般的な鍵ユニット（施錠装置）と同一の構造を有して専用鍵Ｋの回動操作を可能とするものであれば良い。例えば、回動部材３２ｂは、鍵穴３１ａに挿入される鍵が予め定めた所定の凹凸形状に形成された先端部を有する専用鍵Ｋである場合にのみ回動し、先端部の形状が所定の凹凸形状とは異なる鍵によっては回動部材３２ｂの回動が阻止されるものであっても良く、又は電磁的に予め対応付けされた専用鍵に対してのみ回動し、対応付けされていない他の鍵に対しては回動が阻止されるものであっても良い。また、可動片３２の突出部３２ａは、必ずしも本体部材３１に対して可動片３２を回動させて切り欠き部３１ｃより外側に突出させる必要はなく、本体部材３１によって可動片をスライド移動可能に支持し、専用鍵の操作に応じて鍵ユニットの外周面から可動片を突出させて鍵ユニットの施錠状態を形成するものであっても良い。
【００３５】
次に、図２及び図３を参照して、第２鍵ユニット３０により施錠される部材について説明する。第２鍵ユニット３０に施錠される基板カバー２１は、複数の制御基板Ｃ，Ｄ，Ｈ，Ｓを被包してパチンコ機１の背面側からの球の衝突などによる部品の損傷を防止すると共に、その一端部に設けられる鍵取付穴２１ａに第２鍵ユニット３０が差し込まれて施錠された場合に開放不能となって内包する制御基板Ｃ，Ｄ，Ｈ，Ｓへの不正行為を防止するための部材である。
【００３６】
この基板カバー２１は、図３に示すように、機構板２０と共に密閉された収容空間２１ｂを形成し、その収容空間２１ｂ内には、遊技に関する制御プログラムやデータを記憶した制御用ＲＯＭ等の電子部品を搭載する主制御基板Ｃが配設されている。また、収容空間２１ｂ内には、主制御基板Ｃの他に、主制御基板Ｃから出力される制御用コマンドに従って遊技に関する制御を行う複数の制御基板Ｈ，Ｄ，Ｓが配設されている（図２参照）。
【００３７】
この基板カバー２１は、図２に示すように、その背面視右側端部に設けられた上下一対の軸２１ｃによって機構板２０に揺動可能に軸支されている。また、基板カバー２１の背面視左側端部には、上下方向に沿った略中央部が左方へ部分的に突出して形成されており、その突出した部位に鍵取付穴２１ａが穿設されている。
【００３８】
鍵取付穴２１ａは、背面視略円形状に穿設されており、その内側には、専用鍵Ｋの第２鍵部７２（図５（ａ）参照）によって施解錠の操作が行われる第２鍵ユニット３０が配置されている。この第２鍵ユニット３０が施錠状態（図３に示す状態）にある場合には、第２鍵ユニット３０の差し込み方向（図３の上方）に沿った両端部において左右両側に突出した部位（本体部材３１の突出部３１ｂ及び可動片３２の両端部３２ａ）により機構板２０と基板カバー２１とが挟持され、機構板２０に対する基板カバー２１の開放方向（図３の下方）への移動が規制される。
【００３９】
基板カバー２１の鍵取付穴２１ａは、第２鍵ユニット３０が差し込まれる部位であり、第２鍵ユニット３０（本体部材３１）の外周面と略同一形状に形成されている。具体的には、第２鍵ユニット３０の入口側（図３の下側）の外周面を形成する第１外周面２１ａ１と、第１外周面２１ａ１より小形に形成されて第２鍵ユニット３０の差し込み方向に沿った奥側の外周面を形成する第２外周面２１ａ２と、第１外周面と２１ａ１と第２外周面２１ａ２との間に形成される段差面２１ａ３とを備えている。
【００４０】
第１外周面２１ａ１は、鍵取付穴２１ａに差し込まれた第２鍵ユニット３０がパチンコ機１の背面側（図３の下側）へ突出する量を低減させるための部位である。この第１外周面２１ａ１は、鍵取付穴２１ａの軸方向視において略円形状に形成されており、第２鍵ユニット３０の本体部材３１の端部が突出しないように、第２鍵ユニット３０の鍵穴３１ａが穿設された端面と鍵取付穴２１ａの入口とがほぼ一致する位置まで延設されている。よって、鍵取付穴２１ａに差し込まれた第２鍵ユニット３０がパチンコ機１の背面に突出して邪魔になることが無く、整然と第２鍵ユニット３０を鍵取付穴２１ａ内へ収容することができる。
【００４１】
第２外周面２１ａ２は、鍵取付穴２１ａに差し込まれた第２鍵ユニット３０の回動を規制させるための部位であり、第２鍵ユニット３０（本体部材３１）の切り欠き部３１ｃに係合可能に、略小判形の断面形状に形成されている。第２外周面２１ａ２内に第２鍵ユニット３０が差し込まれると、本体部材３１の切り欠き部３１ｃに第２外周面２１ａ２が係合し、第２鍵ユニット３０（本体部材３１）の回動が規制される。
【００４２】
段差面２１ａ３は、第２鍵ユニット３０が施錠された状態において第２鍵ユニット３０の本体部材３１（突出部３１ｂ）に当接し、基板カバー２１の開放方向への移動を規制させるための部位である。図３に示すように、機構板２０に対して基板カバー２１が閉鎖された状態においては、段差面２１ａ３から、可動片３２の両端部３２ａに当接する機構板２０の外面までの離間距離Ｌが、可動片３２の両端部３２ａと本体部材３１の突出部３１ｂとの距離（隙間）より僅かに小さくなるように設定されている。よって、基板カバー２１と機構板２０とを可動片３２の両端部３２ａと本体部材３１の突出部３１ｂとの間に挟持することができ、基板カバー２１の開放方向への移動を規制することができる。
【００４３】
機構板２０には、基板カバー２１に設けられる鍵取付穴２１ａの第２外周面２１ａ２に連続して略同一外形に形成されると共に、第２鍵ユニット３０の差し込み方向に沿った奥側の外周面を形成する鍵取付穴２０ａが設けられている。第２鍵ユニット３０が施錠状態である場合には、この鍵取付穴２０ａの外周縁を形成する外縁部２０ｂの外面側（図３の上側）に可動片３２の両端部３２ａが係合して、第２鍵ユニット３０の抜き出し方向への移動が規制される。また、その第２鍵ユニット３０の移動規制に従って基板カバー２１は機構板２０に対する開放方向への移動が規制される。
【００４４】
一方、第２鍵ユニット３０が解錠状態である場合には、機構板２０に設けられる鍵取付穴２０ａの外縁部２０ｂから突出していた可動片３２の両端部３２ａが鍵取付穴２０ａ内に配置されることにより、鍵取付穴２０ａの外縁部２０ｂと可動片３２の両端部３２ａとの係合が解除されて、第２鍵ユニット３０の抜き出し方向への移動規制が解除される。また、その第２鍵ユニット３０の移動規制の解除に従って基板カバー２１は機構板２０に対して開放可能な状態となる。
【００４５】
第２鍵ユニット３０が差し込まれる鍵取付穴２１ａの背面視左下には、図２に示すように、「２」の数字が刻印されている。第２鍵ユニット３０の操作に使用される専用鍵Ｋの第２鍵部７２（図５（ａ）参照）の根本にも「２」の数字が刻印されており、作業者は、その刻印された数字に基づいて第２鍵ユニット３０の配置位置を確認することができる。
【００４６】
基板カバー２１によって形成される収容空間２１ｂの右側端部には、図３に示すように、鋼線を巻回して形成されたスプリング２２が機構板２０に軸支されている。このスプリング２２は、その一端部２２ａが機構板２０に支持されると共に、他端部２２ｂが基板カバー２１に支持されており、機構板２０に対して基板カバー２１を開放方向へ向けて押圧する付勢力がスプリング２２により付与される。第２鍵ユニット３０による施錠が解除された場合には、基板カバー２１の開放方向への移動規制が解除され、スプリング２２の付勢力により基板カバー２１が開放する。
【００４７】
基板カバー２１の内側には、図２に示すように、大当たり及び演出内容の抽選や各入賞口への入賞に基づく賞球の払出指示を実行するなど遊技の制御を行う主制御基板Ｃが配設されている。また、主制御基板Ｃから出力される制御用コマンドに基づいて払出モータの駆動を制御し賞球や貸球の払出制御を行う払出制御基板Ｈと、前記した図柄の変動表示の制御を行う表示用制御基板Ｄと、スピーカから出力される効果音の音声制御及びＬＥＤや各種ランプの点灯制御を行う音声及びランプ制御基板Ｓとが配設されている。
【００４８】
主制御基板Ｃは、払出制御基板Ｈ及び表示用制御基板Ｄに接続されており、主制御基板Ｃが出力するコマンドに従って各制御基板Ｈ，Ｄは、それぞれに接続される機器を制御する。また、表示用制御基板Ｄは、音声及びランプ制御基板Ｓに接続されており、表示用制御基板Ｄが出力するコマンドに従って音声及びランプ制御基板Ｓが効果音及び各種ランプを制御する。これら制御基板Ｃ，Ｈ，Ｄ，Ｓは、個別に設けられた樹脂製の基板ボックスに被包されている。また、主制御基板Ｃを被包する基板ボックスには、鍵取付穴５１ａが設けられ、その鍵取付穴５１ａに差し込まれる第４鍵ユニット５０によって、その基板ボックスは、機構板２０に対して着脱可能に施錠して固定される。
【００４９】
また、第４鍵ユニット５０が差し込まれる鍵取付穴５１ａの右下には「４」の数字が刻印されている（図示せず）。第４鍵ユニット５０の操作に使用される専用鍵Ｋの第４鍵部７４（図５（ａ）参照）の根本にも「４」の数字が刻印されており、作業者は、その刻印された数字に基づいて第４鍵ユニット５０の配置位置を確認することができる。
【００５０】
主制御基板Ｃ以外の各制御基板Ｈ，Ｄ，Ｓは、機構板２０に複数のビスで着脱可能に固定される。なお、主制御基板Ｃを被包する基板ボックスと機構板２０とが第４鍵ユニット５０により施錠される構造は、基板カバー２１と機構板２０とが第２鍵ユニット３０により施錠される構造と同一であるため、その説明を省略する。
【００５１】
パチンコ機1の背面視における右側上部には、図２に示すように、電源カバー２３が配設されており、その電源カバー２３の内部には、電源基板Ｅが収容されている。この電源基板Ｅは、パチンコ機Ｐの各部に電力を供給させるための基板である。
【００５２】
電源カバー２３は、機構板２０と共に収容空間を形成して、その収容空間内に電源基板Ｅを被包するための部材であり、図２に示すように、背面視略矩形状に形成されている。電源カバー２３の左側上部には、背面視略円形状の鍵取付穴２３ａが穿設されており、この鍵取付穴２３ａには、専用鍵Ｋの第３鍵部７３（図５（ａ）参照）によって施解錠の操作が行われる第３鍵ユニット４０が嵌合されている。第３鍵ユニット４０が施錠状態である場合に電源カバー２３の開放方向への移動が規制され、第３鍵ユニット４０が解錠されると、電源カバー２３は、パチンコ機１の背面側へスライドして機構板２０から離脱し、電源基板Ｅが露出される。
【００５３】
また、第３鍵ユニット４０が差し込まれる鍵取付穴２３ａの右下には「３」の数字が刻印されている。第３鍵ユニット４０の操作に使用される専用鍵Ｋの第３鍵部７３（図５（ａ）参照）の根本にも「３」の数字が刻印されており、作業者は、その刻印された数字に基づいて第３鍵ユニット４０の配置位置を確認することができる。なお、電源カバー２３と機構板２０とが第３鍵ユニット４０により施錠される構造は、基板カバー２１と機構板２０とが第２鍵ユニット３０により施錠される構造と同一であるため、その説明を省略する。
【００５４】
次に、図５を参照して、パチンコ機１に設けられる各鍵ユニット３０，４０，５０，６０の施解錠の操作に使用される専用鍵Ｋについて説明する。図５（ａ）は、専用鍵Ｋを正面視して示した図であり、図５（ｂ）は、専用鍵Ｋに３つの鍵ユニット３０，５０，６０が係合して一体化された状態を示した図である。
【００５５】
専用鍵Ｋは、パチンコ機１に設けられる第１〜第４鍵ユニット３０，４０，５０，６０の施解錠の操作に使用する部材であり、各鍵ユニット３０，４０，５０，６０毎に別々に対応した４つの鍵部（第１〜第４鍵部）７１〜７４が形成されている。第１〜第４鍵部７１〜７４は、それらを連結する連結部７０を中心として四方に放射状に突設されており、正面視略十字状に形成されている。
【００５６】
第１鍵部７１は、パチンコ機１の前面側に配設される第１鍵ユニット６０を施解錠するための部位である。第１鍵ユニット６０の鍵穴の中へ第１鍵部７１の先端部が挿入されつつ専用鍵Ｋが回動されて第１鍵ユニット６０が解錠されたとき、第１鍵部７１の先端部は、第１鍵ユニット６０から抜き出し不能に係合し、専用鍵Ｋと第１鍵ユニット６０とが一体化される。また、第１鍵ユニット６０が解錠状態である場合には、第１鍵ユニット６０は、外枠１ａとの係合が解除されて、前面枠２の鍵取付穴２ａから取出可能な状態となる。このため、解錠状態の第１鍵ユニット６０は、専用鍵Ｋと一体化させた状態で、鍵取付穴２ａから取出することができる。
【００５７】
第２鍵部７２は、基板カバー２１を施錠する第２鍵ユニット３０を施解錠するための部位であり、第１鍵部７１に隣り合って形成されている。この第２鍵部７２は、解錠状態の第２鍵ユニット３０が一体化される部位である。第３鍵部７３は、電源カバー２３を施錠する第３鍵ユニット４０を施解錠するための部位であり、第１鍵部７１に隣り合う位置であって、第２鍵部７２の反対側に形成されている。この第３鍵部７３は、解錠状態の第３鍵ユニット４０が一体化される部位である。第４鍵部７４は、主制御基板Ｃの基板ボックスを施錠する第４鍵ユニット５０を施解錠するための部位であり、第２鍵部７２に隣り合う位置であって第１鍵部７１の反対側に形成されている。この第４鍵部７４は、解錠状態の第４鍵ユニット５０が一体化される部位である。
【００５８】
第１〜第４鍵部７１〜７４には、上述のように、解錠状態の４つの第１〜第４鍵ユニット３０，４０，５０，６０が一体化されるので、第１〜第４鍵ユニット３０，４０，５０，６０を解錠してパチンコ機１から取出すると、取出された鍵ユニットが専用鍵Ｋの各鍵部７１〜７４にそれぞれ一体化される。よって、パチンコ機１に装着された４つの第１〜第４鍵ユニット３０，４０，５０，６０を取出後に一体化して容易に管理することができる。
【００５９】
また、パチンコ機１には、第１〜第４鍵ユニット３０，４０，５０，６０が施錠装置として装着されるものであるが、このパチンコ機１に装着される全ての鍵ユニット３０，４０，５０，６０に係合される４つの鍵部７１〜７４が専用鍵Ｋに形成されている。よって、作業者は、パチンコ機１に設けられる全ての鍵ユニットを、専用鍵Ｋのみを操作して取出することができ、第１〜第４鍵ユニット３０，４０，５０，６０の取出時における作業性を向上することができる。また、１の専用鍵Ｋを使用して第１〜第４鍵ユニット３０，４０，５０，６０を取出することにより、作業者は、第１〜第４鍵ユニット３０，４０，５０，６０のパチンコ機１への装着状況を専用鍵Ｋに一体化されている鍵ユニットの数に基づいて確認することができ、施解錠のし忘れや、リサイクル作業時などにおける鍵ユニットの取出し忘れを確実に防止することができる。なお、専用鍵Ｋには、必ずしも４つの鍵部を形成する必要は無く、２つや、３つ、或いは、５つ以上の鍵部を専用鍵Ｋに形成しても良い。
【００６０】
また、第１〜第４鍵部７１〜７４は、連結部７０を中心として四方に放射状に突設されており、専用鍵Ｋに一体化される第１〜第４鍵ユニット３０，４０，５０，６０は、連結部７０を中心とする周辺に一体化される。よって、複数の鍵部を平行に突設する場合などに比較して、専用鍵Ｋと第１〜第４鍵ユニット３０，４０，５０，６０とを小形に一体化することができる。また、各鍵部７１〜７４が連結部７０を中心として放射状に突設されているので、いずれの鍵部を鍵ユニットの鍵穴に挿入する場合であっても連結部７０を把持して同様に操作することができる。よって、専用鍵Ｋの操作性を向上して、鍵ユニットに対する作業をスムースに進行させることができる。
【００６１】
第１〜第４鍵部７１〜７４の突設量は、図５（ａ）に示すように、各鍵部７〜７４毎に異なって設定されている。具体的には、第２鍵部７２に対する第１鍵部７１の突設量Ｌ１は、図５（ｂ）に示すように、第２鍵部７２に第２鍵ユニット３０が係合した状態においてその第２鍵ユニット３０の本体部材３１の突出部３１ｂが、第１鍵ユニット６０の本体部材６１の突出部６１ｂの側方（図５（ｂ）の上方）に配置されるように設定されている。このため、第２鍵ユニット３０が第２鍵部７２に一体化された状態においては第１鍵ユニット６０を鍵取付穴２ａに差し込もうとしても第２鍵ユニット３０が鍵取付穴２ａ周辺部に干渉し、第１鍵ユニット６０による施錠ができないようになっている。よって、作業者には、パチンコ機１の背面側に装着される第２鍵ユニット３０を、第１鍵ユニット６０より前にパチンコ機１に必ず装着させることができ、装着順序の間違いによる作業時間のロスを低減することができる。
【００６２】
また、第１鍵部７１に対する第２鍵部７２の突設量Ｌ２は、第１鍵部７１に第１鍵ユニット６０が係合した状態においてその第１鍵ユニット６０が、第２鍵ユニット３０の本体部材３１より連結部７０側に配置されるように設定されている。従って、第１鍵ユニット６０が第１鍵部７１に一体化された状態であっても、第２鍵ユニット３０を鍵取付穴２１ａに差し込む際に第１鍵ユニット６０は鍵取付穴２１ａ周辺部に干渉せず、第２鍵ユニット３０は施解錠可能となっている。
【００６３】
第１鍵部７１に対する第３鍵部７３の突設量Ｌ３は、第２鍵部７２の突設量Ｌ２と略同一となっており、第３鍵部７３に係合する第３鍵ユニット４０が第１鍵部７１に係合する第１鍵ユニット６０の装着を阻止する一方、第１鍵ユニット６０は第３鍵ユニット４０の装着を許容する設定となっている。また、第４鍵部７４に対する第２鍵部の突設量Ｌ２’と、第２鍵部７２に対する第４鍵部７４の突設量Ｌ４との関係は、第１鍵部７１と第２鍵部７２との関係と同一となっている。即ち、第４鍵部７４に係合する第４鍵ユニット５０が第２鍵部７２に係合する第２鍵ユニット３０の装着を阻止する一方、第２鍵ユニット３０は第４鍵ユニット５０の装着を許容する設定となっている。
【００６４】
連結部７０から突設される第１〜第４鍵部７１〜７４は、連結部７０を通過する一平面上に沿って形成され、側面視においては直線状（図示せず）に形成される。このため、専用鍵Ｋが鍵ユニット３０，４０，５０，６０と分離した状態においては、専用鍵Ｋは、平面状に薄く形成され、専用鍵Ｋを使用する作業者は、連結部７０を両側から容易に把持することができる。また、薄く形成された専用鍵Ｋは嵩張らないので、多数のパチンコ機１の専用鍵Ｋを携帯し、又は保管する場合であっても、複数個の専用鍵Ｋを簡易に携帯し、又は少ない収容スペースに多数の専用鍵Ｋを整然と重ねて保管することができる。
【００６５】
なお、必ずしも一平面上に沿って第１〜第４鍵部７１〜７４を形成する必要はなく、２以上の平面に沿って第１〜第４鍵部７１〜７４を形成しても良い。例えば、連結部を円筒状に形成し、第１鍵部７１と第４鍵部７４とを、連結部の一端面におけるその端面の径方向両側に向けて突設し、連結部の他端面に第２鍵部７２と第３鍵部７３とを、第１鍵部７１と第４鍵部７４とに対して段違いに交差するように突設しても良い。専用鍵Ｋに一体化される鍵ユニットが段違いにずれて配列されるので、より鍵ユニットを連結部に近付けて配置することができる。
【００６６】
また、第１〜第４鍵部７１〜７４は、隣り合って突設される２つの鍵部に挟まれた角度がそれぞれ略９０度となるように配列されている。即ち、各鍵部７１〜７４の先端部は、連結部７０を中心とする円周上の４箇所に略等間隔離間して点在して配置されている。このため、専用鍵Ｋに係合される４つの鍵ユニット３０，４０，５０，６０は、連結部７０を中心とする周辺に略均等に離間して配置され、鍵ユニット３０，４０，５０，６０を連結部７０に近付けて配置することができる。よって、専用鍵Ｋと複数の鍵ユニット３０，４０，５０，６０とをより小形に一体化することができる。
【００６７】
なお、本実施例においては、専用鍵Ｋに４つの鍵部７１〜７４が形成されているので、隣り合って突設される２つの鍵部に挟まれた角度をそれぞれ略９０度となるように配列したが、１の鍵に３つの鍵部を形成する場合には隣り合って突設される鍵部に挟まれた角度を１２０度とし、６つの鍵部を形成する場合には６０度としても良い。即ち、１の鍵に形成する鍵部の数で３６０度を除した角度を、隣り合って突設される２つの鍵部に挟まれた角度として設定することにより、連結部の周辺に鍵ユニットを略均等に離間させて配置することができる。
【００６８】
各鍵部７１〜７４の先端部には、図５（ａ）に示すように、それぞれの鍵部７１〜７４の突設方向と交差する方向に延設された突出部７１ａ〜７４ａが設けられている。これら突出部７１ａ〜７４ａは、鍵ユニット３０，４０，５０，６０毎に対応づけられた別々の形状に形成されている。また、第１鍵部７１の突出部７１ａは、第１鍵部７１の突設方向（図５（ａ）の右方向）に対し、図５（ａ）に示す方向視において右方（図５（ａ）の下方向）に延設されている。一方、第２〜第４鍵部７２〜７４の突出部７２ａ〜７４ａは、各鍵部７２〜７４の突設方向に対し、図５（ａ）に示す方向視において左方に延設されている。つまり、各鍵部７１〜７４に設けられる突出部７１ａ〜７４ａは、第１〜第４鍵部７１〜７４によって形成される一平面に沿って延設され、専用鍵Ｋの厚さ方向（図５（ａ）の紙面垂直方向）に突出することがない。よって、専用鍵Ｋを薄く形成して、携帯し易いものとすることができる。なお、突出部７１ａ〜７４ａは、必ずしも各鍵部７１〜７４から一方向に向けて延設される必要はなく、両方向に向けて延設されるものであっても良い。
【００６９】
また、各鍵部７１〜７４の突出部７１ａ〜７４ａのうち、第１鍵部７１の突出部７１ａは、図５（ａ）に示す方向視におけるその鍵部７１の突設方向に対して右方に延設される一方、他の鍵部７２〜７４の突出部７２ａ〜７４ａは、各鍵部７２〜７４の突設方向に対して左方に延設されている。即ち、第１鍵部７１の突出部７１ａのみが、他の突出部７２ａ〜７４ａとは反対の方向に延設されており、第１鍵部７１が他の鍵部７２〜７４とは異なる態様を形成する。
【００７０】
ここで、専用鍵Ｋを使用する作業者が第１鍵部７１を使用する場合には、第１鍵部７１と他の鍵部７２〜７４との態様の違いに基づいて（態様の違いを目印にして）第１鍵部７１を容易に選択することができる。また、他の鍵部７２〜７４を使用する場合についても、第４鍵部７４が第１鍵部７１の反対側にあるとか、第２，第３鍵部７２，７３は第１鍵部７２，７３の隣にあることを作業者が次第に経験して認識すると、第１鍵部７１の配置位置に基づいて他の鍵部７２〜７４をも容易に選択することができる。なお、必ずしも突出部７１ａ〜７４ａの延設方向を異ならせることにより、第１鍵部７１の態様を他の鍵部７２〜７４とは異なる態様に形成する必要はなく、第１鍵部７１の長さを他の鍵部７２〜７４より長く形成したり、第１鍵部７１にのみ表面処理や塗装を施して他の鍵部７２〜７４とは異なる表面色や模様を有するように形成しても良い。また、隣り合う２以上の鍵部を他の鍵部とは異なる態様に形成しても良い。
【００７１】
連結部７０に連結される４つの鍵部７１〜７４の根本部分には、「１」から「４」のいずれかの数字が凹状に刻印された４つの表示部７１ｂ〜７４ｂが形成されている。パチンコ機１における４つの鍵ユニット３０，４０，５０，６０が装着される各鍵取付穴２ａ，２１ａ，２３ａ，５１ａ近傍にも、前述のように、「１」から「４」のいずれかの数字が刻印されており（図１及び図２参照）、作業者は、施解錠の操作時において鍵取付穴２ａ，２１ａ，２３ａ，５１ａ近傍に表示される数字を視認し、その表示部７１ｂ〜７４ｂの数字と同一の数字が刻印された１の鍵部を操作に必要な鍵部として選択することができる。
【００７２】
また、専用鍵Ｋに形成される４つの表示部７１ｂ〜７４ｂは、「１」の数字が表示される第１表示部７１ｂが第１鍵部７１の根本に設けられ、「２」の数字が表示される第２表示部７２ｂが第２鍵部７２の根本に、「３」の数字が表示される第３表示部７３ｂが第３鍵部７３の根本に、「４」の数字が表示される第４表示部７４ｂが第４鍵部７４の根本にそれぞれ形成されている。
【００７３】
これら第１〜第４表示部７１ｂ〜７４ｂに表示される数字は、鍵ユニットの解錠操作の順序を示すものであり、「１」の数字が付された第１鍵部７１は、最初に解錠操作が行われるものである。パチンコ機１の背面側に対する作業は、最初に前面枠２を解錠してから行われるが、この最初の解錠操作に必要な第１鍵部７１の根本に最小の「１」の数字が表示されている。よって、作業者には、解錠操作の最初に使用する第１鍵部７１を解りやすく示すことができる。
【００７４】
なお、第１〜第４表示部７１ｂ〜７４ｂには、必ずしも数字で情報を表示する必要はなく、パチンコ機１に装着される鍵ユニットの装着部の名称に関する情報を文字で表示（例えば「前面枠」や「基板カバー」の表示等）しても良く、鍵ユニットにより不正行為を防止するための対象部品の名称に対応させた情報を文字で表示（例えば「主制御基板」の表示や、主制御基板Ｃを「Ｃ」と略した表示等）しても良い。
【００７５】
専用鍵Ｋには、それぞれの鍵部７１〜７４の先端から突出部７１ａ〜７４ａが形成された位置より各鍵部７１〜７４の根本側にわたって形成され、各鍵ユニット３０，４０，５０，６０が係合（一体化）されるとその鍵穴内に挿入される内挿部７１ｃ〜７４ｃと、その内挿部以外の部分であって各鍵ユニット３０，４０，５０，６０が係合（一体化）された後にも露出される部分（露出部）とがあり、「１」から「４」の数字が刻印された４つの表示部７１ｂ〜７４ｂは、露出部に形成されている。このため、専用鍵Ｋに全ての鍵ユニット３０，４０，５０，６０が一体化された後にも、表示部７１ｂ〜７４ｂに表示される数字を作業者に認識させることができる。
【００７６】
次に、図３及び図４を参照して、専用鍵Ｋによって第２鍵ユニット３０を施解錠する操作について、基板カバー２１の施解錠操作に基づいて説明する。なお、専用鍵Ｋによる他の鍵ユニット４０，５０，６０の施解錠の操作については、基板カバー２１の施解錠の操作とほぼ同一であるためその説明を省略する。
【００７７】
図３に示すように、第２鍵ユニット３０による施錠によって閉鎖された基板カバー２１を開放する場合には、作業者は、第２鍵ユニット３０の解錠に使用する専用鍵Ｋの第２鍵部７２を選択する。
【００７８】
ここで、遊技場の管理人が作業者である場合には、遊技場の管理人は、遊技場に設置される遊技機の管理に必要な多数の鍵の１つとして専用鍵Ｋを所持し、その多数の鍵から専用鍵Ｋを選択する。この専用鍵Ｋには、４つの第１〜第４鍵部７１〜７４が形成されているので、遊技場の管理人は、従来には第１〜第４鍵部７１〜７４が個別に形成された４つの鍵を所持すべきところを、１の専用鍵Ｋだけ所持すれば良い。よって、遊技場の管理人に所持させる鍵の数を少なくすることができ、遊技場の管理人は、第２鍵ユニット３０の解錠操作に使用する専用鍵Ｋを少数の鍵の中から短時間で選択することができる。
【００７９】
また、鍵部の形状を視認しつつ施解錠の操作に必要な１の鍵（鍵部）を選択する場合、遊技場の管理人は、所望の形状に形成された鍵部を有する鍵が見つかるまで、何度も鍵を持ち替えて鍵の選択をしなければならず、多数の鍵から所望の鍵を見つけるのは遊技場の管理人にとって面倒な作業であった。これに対し、専用鍵Ｋには、第１〜第４鍵部７１〜７４が略十字状に形成された専用鍵Ｋの端部にそれぞれ形成されているので、専用鍵Ｋの中央部（連結部７０）を把持するだけで、第１〜第４鍵部７１〜７４の形状を視認することができる。よって、第１〜第４鍵部７１〜７４の形状を視認しつつ、第２鍵ユニット３０の解錠操作に使用する第２鍵部７２を選択する遊技場の管理人は、鍵を持ち替える手間が少なくなることにより、解錠操作に必要な第２鍵部７２を短時間で簡易に選択することができる。
【００８０】
専用鍵Ｋの第２鍵部７２を視認した作業者は、その第２鍵部７２を鍵穴３１ａに挿入し、時計回り方向に専用鍵Ｋを略９０度回動する。この専用鍵Ｋの回動に連動して可動片３２が回動する。図４（ａ）に示す施錠状態から可動片３２が回動するに従って、本体部材３１の切り欠き部３１ｃより外方に突出していた可動片３２の両端部３２ａが本体部材３１の切り欠き部３１ｃより内側に次第に収められ、可動片３２が略９０度回動すると可動片３２の両端部３２ａは本体部材３１の切り欠き部３１ｃより内側に完全に収められて解錠状態（図４（ｂ）の状態）となる。第２鍵ユニット３０が解錠されると、可動片３２の両端部３２ａが機構板２０の鍵取付穴２０ａ内に挿通可能に配置されて、可動片３２と機構板２０との係合が解除される。
【００８１】
可動片３２と機構板２０との係合を解除した後、作業者は、片方の手で基板カバー２１を支持しつつ、他方の手で専用鍵Ｋを基板カバー２１の鍵取付穴２１ａから離間させる。専用鍵Ｋの第２鍵部７２は鍵穴形成壁３１ｄに係合され、第２鍵ユニット３０からの専用鍵Ｋの抜き出しが阻止されており、専用鍵Ｋと共に第２鍵ユニット３０が鍵取付穴２０ａ，２１ａから取出される。
【００８２】
一方、第２鍵ユニット３０を施錠操作して基板カバー２１を施錠状態にする場合には、作業者は、スプリング２２の作用により開放状態にある基板カバー２１を片方の手で押圧して基板カバー２１と機構板２０とを密着させる。基板カバー２１と機構板２０とを密着させると、図３に示すように、基板カバー２１の鍵取付穴２１ａと機構板２０の鍵取付穴２０ａとが連続した鍵取付穴２０ａ，２１ａが形成される。
【００８３】
次に、作業者は、その連続形成された鍵取付穴２０ａ，２１ａに向けて専用鍵Ｋを操作しつつ解錠状態（図４（ｂ）の状態）の第２鍵ユニット３０を差し込み、鍵取付穴２１ａの段差面２１ａ３と、第２鍵ユニット３０の本体部材３１の突出部３１ｂとが当接する位置に配置し、専用鍵Ｋを反時計回りに略９０度回動操作する。作業者により専用鍵Ｋが回動操作されると、専用鍵Ｋの回動に連動して第２鍵ユニット３０の回動部材３２ｂが回動し、その回動部材３２ｂに連結される可動片３２も回動する。
【００８４】
図４（ｂ）に示す解錠状態から可動片３２が回動するに従って、本体部材３１の切り欠き部３１より外方に可動片３２の両端部３２ａが次第に突出し、可動片３２が略９０度回動すると可動片３２の両端部３２ａが本体部材３１の切り欠き部３１ｃから最大に突出した施錠状態（図４（ａ）の状態）となる。第２鍵ユニット３０が施錠状態になると、図３に示すように、可動片３２の両端部３２ａが機構板２０の鍵取付穴２０ａを形成する外縁部２０ｂに係合して、可動片３２と機構板２０とが係合された状態となり、機構板２０に対して基板カバー２１が開放不能に閉鎖される。
【００８５】
基板カバー２１を閉鎖した後、施錠状態の第２鍵ユニット３０は、機構板２０の外縁部２０ｂに抜き出し方向への移動を規制されてパチンコ機１に装着されており、また、第２鍵ユニット３０の鍵穴形成壁３１ｄと専用鍵Ｋの第２鍵部７２との係合が解除されて鍵穴３１ａから専用鍵Ｋを抜き出し可能な状態となる。作業者は、専用鍵Ｋを引くことにより、第２鍵ユニット３０を鍵取付穴２０ａ，２１ａの中に残しつつ第２鍵ユニット３０の鍵穴３２ａから専用鍵Ｋだけを抜き出して、施錠操作を終了する。
【００８６】
ここで、作業者が専用鍵Ｋを回動操作し忘れて第２鍵ユニット３０が施錠状態になっていない場合には、第２鍵ユニット３０の鍵穴形成壁３１ｄと専用鍵Ｋの先端部との係合が解除されないので、第２鍵ユニット３０と専用鍵Ｋとが一体に抜き出され、施錠されていないことが確実に作業者に示される。よって、施錠のし忘れを確実に防止することができる。
【００８７】
このように、解錠状態の第２鍵ユニット３０は、その鍵穴形成壁３１ｄによって専用鍵Ｋと分離不能に係合され、第２鍵ユニット３０を施錠することにより専用鍵Ｋの第２鍵部７２が鍵穴３１ａから抜き出される。よって、作業者に施錠操作を確実に行わせることができ、施錠のし忘れを防止することができる。また、解錠状態の第２鍵ユニット３０は、専用鍵Ｋと共に鍵取付穴２０ａ，２１ａから取出することができるので、鍵ユニットがパチンコ機に溶接固定やビス固定される場合に比較して、パチンコ機１から第２鍵ユニット３０を容易に取り外すことができ、その取り外した第２鍵ユニット３０は、第２鍵ユニット３０を差込可能な他の遊技機に容易に装着して再利用（リサイクル）することができる。よって、１のパチンコ機１に対して複数の鍵ユニットを設置することにより不正行為に対する防犯性を高めつつ、鍵ユニットの設置に必要なコストを抑制することができる。
【００８８】
次に、図５を参照して、専用鍵Ｋを使用した複数の鍵ユニットの着脱作業について、主制御基板Ｃの点検作業に基づいて説明する。主制御基板Ｃの点検作業を行う場合には、作業者は、専用鍵Ｋの第１鍵部７１を、パチンコ機１の前面に設けられる第１鍵ユニット６０の鍵穴に差し込み、第１鍵ユニット６０を取出する（図１参照）。この第１鍵ユニット６０を取出することにより、前面枠２は解錠状態となり、外枠１ａに対して前面枠２を前面側に揺動させて、パチンコ機１の背面側に対する作業が可能となる。このとき、専用鍵Ｋの第１鍵部７１には、第１鍵ユニット６０が係合して一体化される。
【００８９】
次いで、作業者は、基板カバー２１を施錠する第２鍵ユニット３０を専用鍵Ｋの第２鍵部７２を操作して取出し、解錠状態となった基板カバー２１を開放する。更に主制御基板Ｃの基板ボックスを施錠して固定する第４鍵ユニット５０を専用鍵Ｋの第４鍵部７４を操作して取出し、解錠された主制御基板Ｃの基板ボックスが取り外されて主制御基板Ｃの点検が行われる。この点検作業中には、図５（ｂ）に示すように、第１，第２，第４鍵ユニット３０，４０，６０が専用鍵Ｋに係合して一体化されており、作業者は、３つの鍵ユニット３０，４０，６０を容易に管理することができる。
【００９０】
作業者が、主制御基板Ｃの点検を終えると、第１，第２，第４鍵ユニット３０，４０，６０が係合して一体化された専用鍵Ｋを再度操作して、主制御基板Ｃの基板ボックス、基板カバー２１、前面枠２を順に施錠して主制御基板Ｃの点検作業を終了する。ここで、専用鍵Ｋは、第１鍵部７１に対して第２鍵部７２及び第４鍵部７４が解錠及び施錠の順序に従って第１鍵部７１、第２鍵部７２、第４鍵部７４の順に隣り合うように形成されているので、作業者は、作業に必要な鍵部を容易に選択して作業をスムーズに進めることができる。
【００９１】
このように、本実施例の専用鍵Ｋは、パチンコ機１に装着される複数の鍵ユニット３０，４０，５０，６０が解錠された場合に、その解錠された鍵ユニットに一体化される複数の鍵部７１〜７４が形成されているので、パチンコ機１から取出された複数の鍵ユニットを専用鍵Ｋに一体化して管理することができる。よって、着脱可能な複数の鍵ユニットを施錠装置として使用することにより、防犯性を高めると共に、その複数の鍵ユニットを容易に管理することができる。
【００９２】
なお、本実施例においては、請求項１記載の第１態様としては、各鍵ユニット３０，４０，５０，６０の可動片が施錠状態を形成する態様に該当し（図４（ａ）参照）、請求項１記載の第２態様としては、各鍵ユニット３０，４０，５０，６０の可動片が解錠状態を形成する態様に該当する（図４（ｂ）参照）。
【００９３】
以上、実施例に基づき本発明を説明したが、本発明は上記実施例に何ら限定されるものではなく、本発明の趣旨を逸脱しない範囲内で種々の変形改良が可能であることは容易に推察できるものである。
【００９４】
上記実施例においては、専用鍵Ｋの第１〜第４鍵部７１〜７４は、別々の形状に形成して各鍵ユニット３０，４０，５０，６０に一義的に対応する構成としたが、必ずしも専用鍵Ｋに形成する鍵部を別々の形状とする必要はなく、少なくとも２以上の鍵部を同一形状に形成し、パチンコ機１には同一形状の鍵部で施解錠の操作が行われる同一の鍵ユニットを装着しても良い。同一の鍵ユニットを使用することにより鍵ユニットを標準化してコストを低減することができる。なお、専用鍵に形成する同一形状の鍵部は、隣り合わせて配置することが好ましい。同一の鍵ユニットを複数まとめて専用鍵Ｋに一体化させることができ、作業者には、鍵ユニットの配置位置を解りやすく示すことができる。
【００９５】
また、上記実施例においては、１のパチンコ機１に使用する第１〜第４鍵部７１〜７４のみを１の専用鍵Ｋに形成したが、必ずしも１のパチンコ機１に使用する鍵部のみを１の専用鍵Ｋに形成する必要はなく、機種の異なる他のパチンコ機や他のタイプの遊技機の施解錠の操作に使用する鍵部をパチンコ機１に使用する専用鍵の一部として形成しても良い。
【００９６】
本発明を上記実施例とは異なるタイプの遊技機に実施しても良い。例えば、アレパチ、雀球、いわゆるパチンコ機とスロットマシンとが融合した遊技機などの各種遊技機として実施するようにしても良い。
【００９７】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の図柄からなる図柄列を変動表示した後に図柄を確定表示する可変表示手段を備え、始動用操作手段（例えば操作レバー）の操作に起因して図柄の変動が開始され、停止用操作手段（例えばストップボタン）の操作に起因して、或いは、所定時間経過することにより、図柄の変動が停止され、その停止時の確定図柄が特定図柄であることを必要条件として、遊技者に有利な特別遊技状態を発生させる特別遊技状態発生手段とを備えたスロットマシン」となり、この場合、遊技媒体はコイン、メダル等が代表例として挙げられる。
【００９８】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に有利な大当たり状態が発生させられ、遊技者には、下部の受皿に多量の球が払い出されるものである。
【００９９】
以下に変形例を示す。特定の形状に形成された鍵部を有する鍵と、その鍵に設けられる鍵部を挿入しつつ前記鍵を操作することにより施錠状態と解錠状態とを切り替える施錠装置とを備えた遊技機において、前記鍵には、複数の鍵部が複数箇所に形成されており、その鍵により施解錠の操作が可能な複数の施錠装置を備えていることを特徴とする遊技機０。
遊技機０によれば、鍵には、複数の鍵部が形成されているので、複数種類の施錠装置の施解錠に必要な鍵を少なくすることができる。よって、多数の施錠装置に対する鍵を所持する遊技場の管理人に所持させる鍵の数を少なくすることができ、遊技場の管理人は、解錠操作の必要な施錠装置に挿入する鍵部が形成された鍵を少数の鍵の中から短時間で選択することができる。
遊技機０において、前記複数の施錠装置は、前記鍵部に係合しつつ前記鍵による操作に応じて作動すると共に遊技機本体から離脱不能な第１態様と離脱可能な第２態様とを選択的に形成する可動片と、その可動片によって前記第２態様が形成された場合に前記鍵部と分離不能に係合する係合部とを有する鍵ユニットを少なくとも２以上備えており、前記鍵に形成される複数の鍵部は、１の鍵ユニットの係合部によって１の鍵部に前記１の鍵ユニットが分離不能に係合した状態で、他の鍵ユニットの係合部によって他の鍵部に前記他の鍵ユニットを分離不能に係合可能に相互に離間した複数箇所に形成されていることを特徴とする遊技機１。
【０１００】
鍵による操作に応じて遊技機本体から離脱可能に構成された鍵ユニットを施錠装置として使用すれば、鍵を操作して鍵ユニットを遊技機本体から取出することができるので、鍵ユニットのリサイクル性を高めることができる。よって、１の遊技機に鍵ユニットを増設して不正行為に対する防犯性を高めつつ、１の鍵ユニットを繰り返して使用することによりその増設によるコストの増加を抑制することができる。しかしながら、遊技機の点検時や修理時、或いは、リサイクルの解体作業時などにおいて、遊技機本体から鍵ユニットが取出されると、その取出後の鍵ユニットを遊技場の管理人や各作業者などが個別に管理しなければならず、鍵ユニットを増設するほどその管理が面倒になるという問題点がある。
【０１０１】
遊技機１によれば、鍵ユニットの可動片が遊技機本体から離脱可能な第２態様を形成する場合には、鍵ユニットの係合部が鍵の鍵部と分離不能に係合するので、鍵ユニットと鍵とを一体化させることができる。また、鍵に形成される複数の鍵部は、１の鍵部に１の鍵ユニットが分離不能に係合した状態で、他の鍵部に他の鍵ユニットを分離不能に係合可能に相互に離間した複数箇所に形成されている。よって、１の鍵に一体化した複数の鍵ユニットを鍵と一緒にまとめて管理することができ、遊技機に鍵ユニットを増設してもその鍵ユニットを容易に管理することができる。
【０１０２】
遊技機１において、前記鍵は、前記複数の鍵部を連結する連結部を備え、前記複数の鍵部は、その連結部を中心として放射状に突設されていることを特徴とする遊技機２。遊技機２によれば、複数の鍵部は、連結部を中心として放射状に突設されている。よって、連結部を中心とする周辺に複数の鍵部に係合される複数の鍵ユニットが配置されるので、鍵と複数の鍵ユニットとをより小形に一体化することができる。また、複数の鍵部が連結部を中心として放射状に突設されているので、いずれの鍵部を鍵ユニットに挿入する場合であっても、放射状の中心となる連結部を把持して同様に操作することができる。よって、鍵の操作性を向上して、鍵ユニットに対する作業をスムースに進行させることができる。
【０１０３】
遊技機２において、前記鍵に形成される前記複数の鍵部は、略平面上に突設されると共に、前記連結部を中心として隣り合って突設された２つの鍵部に挟まれた角度がそれぞれほぼ等しくなるように配列されていることを特徴とする遊技機３。複数の鍵部が略平面上に突設されるので、鍵をより薄く形成することができる。よって、鍵が把持し易くなって鍵の操作性を一層向上することができると共に、鍵が嵩張らずに携帯し易く、少ない収容スペースに多数個の鍵を重ねて保管することができる。また、複数の鍵部は、隣り合って突設された２つの鍵部に挟まれた角度がほぼ等しい角度となるように配列されているので、鍵に係合される鍵ユニットは、連結部を中心とする周辺に均等に配置される。よって、鍵ユニットを鍵の連結部に近付けて配置することができ、鍵と複数の鍵ユニットとをより小形に一体化することができる。
【０１０４】
遊技機３において、前記複数の鍵部は、それぞれの鍵部の突設方向と交差する方向に延設される突出部を備え、その突出部は、前記複数の鍵部が形成される略平面に沿って延設されていることを特徴とする遊技機４。複数の鍵部の突設方向に交差して延設される突出部は、複数の鍵部が形成される略平面に沿って延設されるので、突出部による鍵の厚みの増加を抑制して、鍵をより薄く形成することができる。
【０１０５】
遊技機１から４のいずれかにおいて、前記鍵に形成される複数の鍵部のうち少なくとも２以上の鍵部は、１の鍵ユニットの可動片を作動可能な略同一の外形形状に形成されると共に、その略同一の外形形状に形成された鍵部が隣り合って配置されていることを特徴とする遊技機５。遊技機５によれば、略同一の外形形状に形成されて１の鍵ユニットの可動片を作動可能な２以上の鍵部が隣り合って配置されているので、１の鍵部により操作可能な同一の鍵ユニットを複数まとめて鍵に一体化させることができ、作業者には、同一の鍵ユニットの配置位置をより解りやすく示すことができる。例えば、鍵ユニットの装着時及び取出時において同一の鍵ユニットを複数箇所に連続して使用する場合の作業性を格段に向上することができる。なお、１の鍵ユニットの可動片を作動可能な略同一の外形形状に形成される少なくとも２以上の鍵部は、鍵に形成される複数の鍵部の一部であっても良く、又は鍵に形成される複数の鍵部の全部であっても良い。
【０１０６】
遊技機１から５のいずれかにおいて、前記鍵には、遊技機本体に装着される全ての前記鍵ユニットに対応した前記鍵部が形成されていることを特徴とする遊技機６。鍵には、遊技機本体に装着される全ての鍵ユニットに対応した鍵部が形成されている。よって、作業者は、遊技機本体に設けられる全ての鍵ユニットを１の鍵を操作して取出することができ、鍵ユニットの取出時における作業性を向上することができると共に、遊技機本体から取出した全ての鍵ユニットを１の鍵に一体化して容易に管理することができる。また、遊技機から取出した鍵ユニットを遊技機本体へ再度装着する場合には、鍵に鍵ユニットが係合されているか否かを一見して、遊技機本体に全ての鍵ユニットを装着したか否かを確認することができ、鍵ユニットの装着のし忘れを的確に防止することができる。
【０１０７】
なお、鍵には、遊技機本体に装着される全ての鍵ユニットに対応した鍵部のみが形成されていても良い。全ての鍵部に鍵ユニットが係合された場合に、作業者に、遊技機本体から全ての鍵ユニットが取出されたことを解りやすく示すことができる。例えば、鍵ユニットのリサイクル時など全ての鍵ユニットを取出する場合における鍵ユニットの取出し忘れを的確に防止することができる。また、鍵には、遊技機本体に装着される全ての鍵ユニットに対応した鍵部と共に、遊技機本体に装着される施錠装置であって鍵ユニット以外のものに使用される鍵部が形成されていても良い。１の遊技機に使用する施錠装置として、鍵ユニットと、鍵ユニット以外の施錠装置とを併用する場合に、１の鍵でより多くの施錠装置を操作させることができ、遊技機の点検時や故障時における作業性を一層向上することができる。
【０１０８】
遊技機１から６のいずれかにおいて、前記鍵は、前記複数の鍵部に係合される前記複数の鍵ユニットの配置位置を示唆する配置情報が表示された情報表示部を備えていることを特徴とする遊技機７。遊技機７によれば、鍵の情報表示部には、複数の鍵ユニットの配置位置を示唆する配置情報が表示されるので、作業者には、情報表示部に表示される配置情報に基づいて操作の対象とする鍵ユニットに対応した鍵部を認識させることができ、鍵ユニットの装着時及び取出時における作業性を向上することができる。なお、情報表示部に表示される配置情報としては、文字、数字、記号、図形その他の視覚的に識別可能な方法で表示したものが例示される。また、情報表示部は、各鍵部に個別に形成しても良く、又は鍵部以外の部位（例えば、複数の鍵部を連結する連結部）に表示しても良い。
【０１０９】
遊技機７において、前記鍵は、その鍵に形成される前記鍵部に前記鍵ユニットが係合された場合にその鍵ユニットの内側に挿入される内挿部と、その内挿部に連続して形成されると共に前記鍵部に前記鍵ユニットが係合された場合に前記鍵ユニットの外側に位置する露出部とを備え、前記情報表示部は、その露出部に形成されていることを特徴とする遊技機８。情報表示部は、複数の鍵部に鍵ユニットが係合された場合であっても鍵ユニットの外側に位置する露出部に設けられるので、鍵に鍵ユニットが一体化されているか否かに拘わらず鍵ユニットの配置情報を作業者に認識させることができ、鍵ユニットの装着時及び取出時における作業性をより向上することができる。また、鍵に鍵ユニットが一体化されているか否かに拘わらず、鍵に表示される鍵ユニットの配置情報を作業者に認識させることができるので、鍵ユニットには配置情報を表示する必要がない。よって、鍵ユニットの装着時や取出時における作業性を低下させること無く同一の外観に形成された（標準化された）鍵ユニットを使用することができ、鍵ユニットに配置情報を表示する場合に比較して鍵ユニットの製造コストを低減することができる。
【０１１０】
遊技機１から８のいずれかにおいて、前記鍵に形成される複数の鍵部のうち少なくとも１組以上の鍵部は、第１の鍵ユニットに係合される第１鍵部と、その第１鍵部に係合される第１の鍵ユニットを遊技機本体に装着する場合に遊技機本体に干渉する第２の鍵ユニットに係合される第２鍵部とを形成するものであることを特徴とする遊技機９。遊技機９によれば、鍵の第２鍵部に第２の鍵ユニットが係合された状態においては、第１鍵部に係合される第１の鍵ユニットを遊技機本体に装着しようとしても、第２の鍵ユニットが遊技機本体に干渉する。よって、第２の鍵ユニットが遊技機本体に装着された場合に限定して、第１の鍵ユニットを遊技機本体に装着させることができるので、鍵ユニットの装着順序が定められている場合にその装着順序に従った装着作業を作業者に的確に行わせることができる。
【０１１１】
遊技機０から９のいずれかにおいて、前記鍵に形成される複数の鍵部のうち少なくとも１以上の鍵部は、隣り合う少なくとも一方の鍵部とは異なる態様で形成されていることを特徴とする遊技機１０。１の鍵に複数の鍵部が設けられる場合には、作業者は、作業に必要な鍵部を選択する。遊技機１０によれば、少なくとも１以上の鍵部が、隣り合う少なくとも一方の鍵部とは異なる態様で形成されているので、その態様が変化する鍵部の配置位置に基づいて、作業者は、より容易に所望の鍵部を選択することができ、施錠装置の操作に対する作業性を向上することができる。なお、隣り合う鍵部とは異なる態様で形成される鍵部としては、例えば、鍵部の長さ、鍵部に設けられる突出部の延設方向その他の形状に基づく態様、又は、鍵部の表面色若しくは模様に基づく態様が隣り合う鍵部とは異なる態様で形成されたものなどが例示される。
【０１１２】
遊技機０から１０のいずれかにおいて、前記鍵に形成される複数の鍵部のうち少なくとも２以上の鍵部は、施錠装置の施解錠の操作順序に従って隣り合って配列されていることを特徴とする遊技機１１。遊技機１１によれば、鍵に形成される少なくとも２以上の鍵部が、施錠装置の操作順序に従って隣り合って配列されているので、施解錠の操作時には、隣り合って形成される鍵部を順に施錠装置に挿入して施解錠の操作を行うことができる。よって、複数の鍵部のうち、解錠操作に必要な鍵部を短時間で選択することができ、施解錠操作の作業性を向上することができる。
【０１１３】
遊技機０から１１のいずれかにおいて、前記遊技機はパチンコ機であることを特徴とする遊技機１２。中でも、パチンコ機の基本構成としては操作ハンドルを備え、その操作ハンドルの操作に応じて球を所定の遊技領域へ発射し、球が遊技領域内の所定の位置に配設された作動口に入賞（又は作動ゲートを通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０１１４】
遊技機０から１１のいずれかにおいて、前記遊技機はスロットマシンであることを特徴とする遊技機１３。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０１１５】
遊技機０から１１のいずれかにおいて、前記遊技機はパチンコ機とスロットマシンとを融合させたものであることを特徴とする遊技機１４。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【０１１６】
特定の形状に形成された鍵部を備え、その鍵部を使用して遊技機に設けられる施錠装置に施解錠の動作を行わせるための鍵において、複数の鍵部が複数箇所に形成されていることを特徴とする鍵１。鍵１によれば、遊技機０と同様の効果を奏する鍵を提供することができる。
【０１１７】
鍵１において、前記遊技機に設けられる施錠装置は、前記鍵部に係合しつつ前記鍵による操作に応じて作動すると共に遊技機本体から離脱不能な第１態様と離脱可能な第２態様とを選択的に形成する可動片と、その可動片によって前記第２態様が形成された場合に前記鍵部と分離不能に係合する係合部とを有する鍵ユニットを少なくとも２以上備えたものであり、前記複数の鍵部は、１の鍵ユニットの係合部によって１の鍵部に前記１の鍵ユニットが分離不能に係合した状態で、他の鍵ユニットの係合部によって他の鍵部に前記他の鍵ユニットを分離不能に係合可能に相互に離間した複数箇所に形成されていることを特徴とする鍵２。鍵２によれば、遊技機１と同様の効果を奏する鍵を提供することができる。
【０１１８】
鍵２において、前記複数の鍵部を連結する連結部を備え、前記複数の鍵部は、その連結部を中心として放射状に突設されていることを特徴とする鍵３。鍵３によれば、遊技機２と同様の効果を奏する鍵を提供することができる。
【０１１９】
鍵３において、前記複数の鍵部は、略平面上に突設されると共に、前記連結部を中心として隣り合って突設された２つの鍵部に挟まれた角度がそれぞれほぼ等しくなるように配列されていることを特徴とする鍵４。鍵４によれば、遊技機３と同様の効果を奏する鍵を提供することができる。
【０１２０】
鍵４において、前記複数の鍵部は、それぞれの鍵部の突設方向と交差する方向に延設される突出部を備え、その突出部は、前記複数の鍵部が形成される略平面に沿って延設されていることを特徴とする鍵５。鍵５によれば、遊技機４と同様の効果を奏する鍵を提供することができる。
【０１２１】
鍵２から５のいずれかにおいて、前記複数の鍵部のうち少なくとも２以上の鍵部は、１の鍵ユニットの可動片を作動可能な略同一の外形形状に形成されると共に、その略同一の外形形状に形成された鍵部が隣り合って配置されていることを特徴とする鍵６。鍵６によれば、遊技機５と同様の効果を奏する鍵を提供することができる。
【０１２２】
鍵２から６のいずれかにおいて、１の遊技機本体に装着される全ての前記鍵ユニットに対応した前記鍵部が形成されていることを特徴とする鍵７。鍵７によれば、遊技機６と同様の効果を奏する鍵を提供することができる。
【０１２３】
鍵２から７のいずれかにおいて、前記複数の鍵部に係合される前記複数の鍵ユニットの配置位置を示唆する配置情報が表示された情報表示部を備えていることを特徴とする鍵８。鍵８によれば、遊技機７と同様の効果を奏する鍵を提供することができる。
【０１２４】
鍵８において、前記鍵部に前記鍵ユニットが係合された場合にその鍵ユニットの内側に挿入される内挿部と、その内挿部に連続して形成されると共に前記鍵部に前記鍵ユニットが係合された場合に前記鍵ユニットの外側に位置する露出部とを備え、前記情報表示部は、その露出部に形成されていることを特徴とする鍵９。鍵９によれば、遊技機８と同様の効果を奏する鍵を提供することができる。
【０１２５】
鍵２から９のいずれかにおいて、前記複数の鍵部のうち少なくとも１組以上の鍵部は、第１の鍵ユニットに係合される第１鍵部と、その第１鍵部に係合される第１の鍵ユニットを遊技機本体に装着する場合に遊技機本体に干渉する第２の鍵ユニットに係合される第２鍵部とを形成するものであることを特徴とする鍵１０。鍵１０によれば、遊技機９と同様の効果を奏する鍵を提供することができる。
【０１２６】
鍵１から１０のいずれかにおいて、前記複数の鍵部のうち少なくとも１以上の鍵部は、隣り合う少なくとも一方の鍵部とは異なる態様で形成されていることを特徴とする鍵１１。鍵１１によれば、遊技機１０と同様の効果を奏する鍵を提供することができる。
【０１２７】
鍵１から鍵１１のいずれかにおいて、前記複数の鍵部のうち少なくとも２以上の鍵部は、施錠装置の施解錠の操作順序に従って隣り合って配列されていることを特徴とする鍵１２。鍵１２によれば、遊技機１１と同様の効果を奏する鍵を提供することができる。
【０１２８】
鍵１から鍵１２のいずれかにおいて、前記遊技機がパチンコ機であることを特徴とする鍵１３。
【０１２９】
鍵１から鍵１２のいずれかにおいて、前記遊技機がスロットマシンであることを特徴とする鍵１４。
【０１３０】
鍵１から鍵１２のいずれかにおいて、前記遊技機がパチンコ機とスロットマシンとを融合させたものであることを特徴とする鍵１５。
【図面の簡単な説明】
【図１】  本発明の実施例におけるパチンコ機の正面図である。
【図２】  パチンコ機の背面図である。
【図３】  図２のＩＩＩ−ＩＩＩ線におけるパチンコ機の断面図である。
【図４】  （ａ）は、施錠状態における鍵ユニットの斜視図であり、（ｂ）は、解錠状態における鍵ユニットの斜視図である。
【図５】  （ａ）は、専用鍵を正面視して示した図であり、（ｂ）は、専用鍵に３つの鍵ユニットが係合して一体化された状態を示した図である。
【符号の説明】
１                          パチンコ機（遊技機）
３０，４０，５０，６０      第１〜第４鍵ユニット（施錠装置）
３１ｄ                      鍵穴形成壁（係合部）
３２                        可動片
７１〜７４                  第１〜第４鍵部（鍵部）
Ｋ                          専用鍵（鍵）